(57)【要約】      （修正有）【課題】簡易に採用できて家具本体の配置の如何に拘わらずに後付も可能なシャッター取付構造を有する新規有用な家具を提供する。【解決手段】家具本体１の側枠１１の見付け面１１ａにベース部材３１を、該ベース部材３１に設けた添接片３１ｄを家具本体１の側枠１１の見付け面１１ａに添接させて取り付け、このベース部材３１にアタッチメント材３２を取り付けることにより、これらベース部材３１及びアタッチメント材３２により構成されるシャッター枠３を添接片３１ｄを介して家具本体１の側枠１１に対して幅方向に位置決めする。そして、このシャッター枠３の前端側に設けたレール部３４にシャッター２ｘの各々対応する側縁２ｘａを厚み方向に係合させ、このレール部３４に沿ってシャッター２ｘをガイドし得るようにした。【選択図】図３
2008013983.tif 000002
【特許請求の範囲】
【請求項１】
家具本体の側枠前面にベース部材を、該ベース部材に設けた添接片を家具本体の側枠内面に添接させた状態で取り付け、このベース部材にアタッチメント材を取り付けることにより、これらベース部材及びアタッチメント材により構成されるシャッター枠を前記添接片を介して家具本体の側枠に対し幅方向に位置決めした状態にするとともに、このシャッター枠の前端側に設けたレール部にシャッターの各々対応する側縁を厚み方向に係合させて、このレール部に沿ってシャッターをガイドし得るようにしたことを特徴とする家具。
【請求項２】
シャッター枠の外面を家具本体の側枠の外面に対して略面一となる位置若しくはそれよりも内側に位置づけている請求項１記載の家具。
【請求項３】
ベース部材の側壁から内壁を持ち出す一方、その内壁と、家具本体の側枠前面に添接される当該ベース部材の後壁との間に隙間を形成して、この隙間にアタッチメント材の後壁を前後方向に密接に差し込むようにしている請求項１又は２記載の家具。
【請求項４】
家具本体の底板の前方に配置される幅木と左右のシャッター枠との間に少なくとも幅方向に緊密に係合する係合部を設け、この係合部によりシャッター枠間の離間距離の変化を規制するようにしている請求項１〜３記載の家具。
【請求項５】
係合部が、シャッター枠に設けたスリットと、幅木より突設され前記スリットに少なくとも厚み方向と直交する方向に係合する板状の係合爪とから構成され、その係合部が幅木の立面部の背後に隠蔽されるようにしている請求項４記載の家具。
【請求項６】
請求項１〜５記載の家具を構成するものであって、家具本体の側枠前面に取り付けられその位置で家具本体の側枠内面に添接する添接片を有したベース部材と、このベース部材に取り付けられるアタッチメント材とを具備し、これらベース部材及びアタッチメント材によりシャッター枠を構成して、このシャッター枠の前端側にレール部を設けるようにしていることを特徴とするレールユニット。
【請求項７】
左右のシャッター枠に係合部を介して少なくとも幅方向に緊密に係合し、その状態でシャッター枠間の離間距離の変化を規制する幅木を更に備える請求項６記載のレールユニット。
【発明の詳細な説明】
【技術分野】
【０００１】
本発明は、家具本体の側枠を利用してシャッターを有効に後付できるようにした家具及びそのためのレールユニットに関するものである。
【背景技術】
【０００２】
近時におけるセキュリティ向上の要請に伴い、従来の家具にも様々なセキュリティ対策が施されるようになっている。
【０００３】
例えば、施錠機構を備えない扉や引き戸式の家具においては、新たに施錠機構を組み込むことによってセキュリティ対策を行う例が少なくない。
【０００４】
しかしながら、オープン収納家具などのように、もともと開閉部材を備えないものでは、扉や引き戸を導入するよりはむしろシャッターを用いて収納空間全体を開閉することの方が使用時における本来の機能を担保する上でも有効と考えられる。
【０００５】
その際、既設の家具に対して後付でシャッターを取り付けることができれば便利であるが、従来の家具にはそのような対応を可能にしたものは見当たらない。
【０００６】
家具ではないが、窓枠に沿ってシャッターを取り付けるようにしたものとして、特許文献１，２に示すようなものが知られている。これらのものは、窓枠の外側の壁面を足場にして縦枠や下地材、アタッチメント材等を用いて三方枠を構成し、そのアタッチメント材等にレール部を設けて、そのレール部にシャッターをガイドさせるようにしたもので、必要が生じた場合にシャッターを後付できる利点を有しており、このような取付構造を家具に採り入れることも可能性としては考えられる。
【特許文献１】実用新案登録第２５３４７１９
【特許文献２】実公平６−２３６７９
【発明の開示】
【発明が解決しようとする課題】
【０００７】
しかしながら、家具においては、側枠の外側にシャッター枠の足場となる壁面等は存しないため、いかにして足場を確保し、レール部を前方に持ち出すかについての工夫を凝らすとともに、家具における特段の事情も考慮する必要がある。
【０００８】
すなわち、後付けシャッターを開示した上記特許文献１の図１等には、壁面に縦枠を取り付け、この縦枠にアタッチメント材を、当該アタッチメント材に突設した添接片を縦枠の外面に係合させることにより位置決めした上で、このアタッチメント材の前端にレール部を形成するようにしており、そのアタッチメント材には、前述した添接片よりも更に外側に張り出した部分に縦枠との係合部分も設けてある。ところが、家具の場合、側枠の外面にこのような添接片や係合片が存在すると、外観が大きく損なわれる。また、家具の場合は、側枠同士を突き合わせて幅方向に複数個密接に隣接配置され、或いは側枠を壁に突き合わせて配置される場合が少なくないが、このような状況下で上述した構造を採用しようとしても、添接片や係合部分が隣接する家具本体や壁と干渉して、実質的に上記の取付構造を採用することは困難である。
【０００９】
一方、特許文献２の図１等では、壁面に下地材及びアタッチメント材を、内部に締着機構を構成しつつ前方に継ぎ足すように取り付け、その前端にレール部を形成するように構成し、部材間の係合は下地材やアタッチメント材の幅寸法内で行い得るようにしているが、窓枠付近に設けられる縦枠とは事情が異なり、家具においては側枠の幅寸法が限られているため、かかる締着機構も到底採用し難いものである。
【００１０】
本発明は、このような課題に鑑み、家具本体に特有の構造を踏まえた上でシャッター枠を適切に取り付けることができ、その取付構造も家具の配置状態に左右されることがないようにした新規有用なシャッター取付構造を有する家具及びそのためのレールユニットを提供しようとするものである。
【課題を解決するための手段】
【００１１】
本発明は、かかる目的を達成するために、次のような手段を講じたものである。
【００１２】
すなわち、本発明の家具は、家具本体の側枠前面にベース部材を、該ベース部材に設けた添接片を家具本体の側枠内面に添接させた状態で取り付け、このベース部材にアタッチメント材を取り付けることにより、これらベース部材及びアタッチメント材により構成されるシャッター枠を前記添接片を介して家具本体の側枠に対し幅方向に位置決めした状態にするとともに、このシャッター枠の前端側に設けたレール部にシャッターの各々対応する側縁を厚み方向に係合させて、このレール部に沿ってシャッターをガイドし得るようにしたことを特徴とする。
【００１３】
このように構成すると、先にベース部材を取り付け、しかる後にアタッチメント材を取り付ければ、これらが組み合わさって強度のあるシャッター枠が構成されるため、家具本体の側枠に当該シャッター枠を有効に配置することができる。しかも、ベース部材に、家具本体の側枠の内面に添接する添接片を設け、この添接片により家具本体の側枠に対するシャッター枠の幅方向の位置決めをなすようにしているので、家具本体の側枠に対するシャッター枠の的確な取り付けを可能にして、シャッターの円滑な開閉動作を確保することができる。特に、家具本体の側枠が一般に幅狭であることに鑑みれば、側枠前面のみにてシャッター枠の強固な固定は難しく、添接片による補助はシャッター枠のぐらつきを抑止する上で極めて奏功するものとなる。さらに、この添接片を側枠の内面に位置づけているので、隣接位置に家具や壁が密接に存在する場合にも添接片が原因でシャッター枠の取り付けが困難になることはなく、単体で使用する場合にも家具の外観が毀損される事態を有効に回避することができる。
【００１４】
この場合、上記効果の実効を図るためには、シャッター枠の外面を家具本体の側枠の外面に対して略面一となる位置若しくはそれよりも内側に位置づけるようにしていることが望ましい。
【００１５】
シャッター枠の基端付近の取付強度を有効に確保するためには、ベース部材の側壁から内壁を持ち出す一方、その内壁と、家具本体の側枠前面に添接される当該ベース部材の後壁との間に隙間を形成して、この隙間にアタッチメント材の後壁を前後方向に密接に差し込むようにしていることが望ましい。
【００１６】
左右のシャッター枠のぐらつきを、作業性を損なうことなく適切に防止するためには、家具本体の底板の前方に配置される幅木と左右のシャッター枠との間に少なくとも幅方向に緊密に係合する係合部を設け、この係合部によりシャッター枠間の離間距離の変化を規制するようにしていることが効果的である。
【００１７】
この場合の好ましい実施の態様としては、係合部が、シャッター枠に設けたスリットと、幅木より突設され前記スリットに少なくとも厚み方向と直交する方向に係合する板状の係合爪とから構成され、その係合部が幅木の立面部の背後に隠蔽されるようにしているものが挙げられる。
【００１８】
上記のような家具を後付によって構成するためには、家具本体の側枠前面に取り付けられその位置で家具本体の側枠内面に添接する添接片を有したベース部材と、このベース部材に取り付けられるアタッチメント材とを具備し、これらベース部材及びアタッチメント材によりシャッター枠を構成して、このシャッター枠の前端側にレール部を設けるようにしたレールユニットを用いることが好適である。
【００１９】
レールユニットは、左右のシャッター枠に係合部を介して少なくとも幅方向に緊密に係合し、その状態でシャッター枠間の離間距離の変化を規制する幅木を更に備えていることが好ましい。
【発明の効果】
【００２０】
本発明は、以上説明した構成であるから、簡易に採用できて家具本体の配置の如何に拘わらず後付でシャッターを取り付けることができ、比較的幅狭な家具本体の側枠に対しても十分な強度の下にシャッターを取り付け可能とした新規有用な家具を提供することができる。
【発明を実施するための最良の形態】
【００２１】
以下、本発明の一実施形態を、図面を参照して説明する。
【００２２】
図１に示す本実施形態の家具は、既設の家具本体１に対し、後付でシャッター２ｘを取り付けてなる収納家具である。
【００２３】
家具本体１は、図２に示すように、左右の側枠１１の上端部間及び下端部間を頂板１２及び底板１３によって正面視枠体状をなすように連結し、その背面に背板１４を取り付けたいわゆるオープン収納タイプのもので、内部に棚板等を配置することのできる収納空間Ｓを形成している。
【００２４】
そして、その側枠１１の前面である見付け面１１ａにベース部材３１及びアタッチメント材３２を取り付けて図１及び図２に示すシャッター枠３を構成するとともに、底板１３の前面に下框部材４１を介して幅木４２を、左右のシャッター枠３の下端部間に亘って取り付けるようにしている。
【００２５】
具体的に説明すると、ベース部材３１は、図３〜図６に示すように横断面が概略コ字状をなすもので、後壁３１ａを側枠１１の見付け面１１ａに添接させ、後壁３１ａと直交する側壁３１ｂを前方に延出させて、その側壁３１ｂの前端に前壁３１ｃを内側に屈曲させて設けており、ベース部材３１の後壁３１ａに連続する位置には、家具本体１の側枠１１の内面１１ｂに添接して幅方向の位置決めをなす添接片３１ｄが後方に突出させて設けてある。また、ベース部材３１の側壁３１ａの内面には、補強を兼ねたコ字形をなす取付片３３が強固に取り付けてあり、この取付片３３の内壁３３ａと前記アタッチメント材３１の後壁３１ａとの間に、収納空間Ｓ側に開放される隙間δを形成している。そして、取付片３３の後壁３３ａ及びベース部材３１の後壁３１ａに設けた挿通孔ｈ１１、ｈ１２（図４参照）に止着具たるねじｖ１を挿通し、これを家具本体１の側枠１１の見付け面１１ａに締着して、ベース部材３１を側枠１１に取り付けるようにしている。
【００２６】
アタッチメント材３２は、前記ベース部材３１に内側方から突き合わせて配置されるコ字状のもので、後壁３２ａを前記隙間δに挿入し、側壁３２ｂを前記取付片３３の取付壁３３ｂに添接させて、側壁３２ｂの前端に前壁３２ｃを外側に屈曲させて設けており、この前壁３２ｃを前記ベース部材３１の前壁３１ｃに略面一に突き合わせるようにしている。そして、このアタッチメント材３２の側壁３２ｂに設けた挿通孔ｈ２１に内側から止着具たるねじｖ２を挿通し、このねじｖ２を前記取付壁３３ｂの対応部位に設けたねじ孔ｈ２２に締着して、アタッチメント材３２をベース部材３１に取り付け、全体として中空体状のシャッター枠３を構成するようにしている。このアタッチメント材３２の前端には、側壁３２ｂ及び前記前壁３２ｃに接した状態で後片３４ａ、側片３４ｂ及び前片３４ｃからなる平断面内向きコ字状をなすレール部３４が、接着やねじ止め、一体成形あるいは塑性変形加工など適宜の手法によって当該アタッチメント材３２に一体的に設けてあり、その内側をシャッター２ｘの側縁２ｘａと係合可能なレール溝３４ｘとなしている。そして、このレール部３４により、ベース部材３１の前壁３１ｃとアタッチメント材３２の前壁３２ｃとの継ぎ目ｘ（図６参照）を当該レール部３４の背後に隠蔽している。
【００２７】
レール部３４は、図７に示すようにベース部材３１及びアタッチメント材３２を突き合わせてなるシャッター枠３の中空部の下端からやや上方位置に端部を有し、その下方が幅木取付領域３ａとして開放されており、ベース部材３１の前壁３１ｃ及びアタッチメント材３２の前壁３２ｃには、継ぎ目ｘの部分に幅木取付領域３ａに臨む矩形状のスリット３ｘを上下２箇所に開口させている。なお、レール部３４は必ずしも最初からアタッチメント材３２の中空部に対して一体的に設けておく必要はなく、先にアタッチメント材３２の中空部をベース部材３１に取り付け、その後からアタッチメント材３２の中空部に対してレール部３４を取り付けるようにしても構わない。
【００２８】
このようにして構成される図６のシャッター枠３の外面（すなわち、ベース部材３１の側壁３１ｂの外面及びレール部３４の側片３４ｂの外面）は、家具本体１の側枠１１の外面と略面一となるように設定してあり、添接片３１ｄが側枠１１の内面１１ｂに添接する点、ねじｖ１、ｂ２を前方及び内側方から止着する点ともあいまって、家具本体１の幅寸法ｄ（図２参照）内において正面側からベース部材３１の取付→アタッチメント材３２の取付を行い得るようになっている。
【００２９】
一方、下框部材４１は、図７〜図１０に示すように、断面が概略逆Ｌ字状をなすもので、立面部４１ａを家具本体１の底板１３の前面に当接させて、立面部４１ａに設けた挿通孔ｈ３１に止着具たるねじｖ３を挿通して底板３１の前面に止着することにより、下框部材４１を底板１３に取り付け、この状態で平面部４１ｂを前方に延出させている。
【００３０】
これに対して、幅木４２は、断面が前記下框部材４１に向き合う逆Ｌ字状をなすもので、図７及び図８に示すように両端部４２ａを前記幅木取付領域３ａに位置づけるように、かつ平面部４２ｂの端部以外の部位４２ｂ１を左右のシャッター枠３の内法間において下框部材４１の平面部４１ｂの下方に潜り込ませるように装着して、後立面部４２ｃを下框部材４１の立面部４１ａに当接させるようにしている。そして、下框部材４１の平面部４１ｂに設けた挿通孔ｈ４１に止着具たるねじｖ４を上方から挿通して幅木４２の平面部４２ｂの対応部位に設けたねじ孔ｈ４２に締着することによって、幅木４２を下框部材４１に取り付けるようにしている。また、この幅木４２の両端部には、図７及び図１０に示すように、内立面部４２ｄから折り曲げられて後方に突出する上下一対の係合爪４２ｘが形成してあり、この幅木４２の両端部４２ａを幅木取付領域３ａに装着した際に、これらの係合爪４２ｘがシャッター枠３のスリット３ｘに厚み方向及び幅方向に緊密に差し込まれるようにしてあり、これら係合爪４２ｘ及びスリット３ｘによって本発明の係合部Ｙを形成している。この状態でレール部３４の前片３４ｃと幅木４２の前立面部４２ｅとは略面一となり、レール部３４の前片３４ｃと後片３４ａの間に形成されるレール溝３４ｘの下端が閉止された状態となる。
【００３１】
そして、図１及び図２に示すように、家具本体１の頂板１２上にシャッターユニット２を配置し、このシャッターユニット２のシャッター２ｘの左右両縁を各々対応する左右のレール部３４のレール溝３４ｘに厚み方向に係合させるようにしている。シャッターユニット２は、シャッター２ｘを繰出し／巻き取り可能に内蔵したもので、家具本体１の頂板１２にねじにより止着され、側枠前端２１を家具本体１の前端つまり側枠１１の見付け面１１ａよりも前方に突出する位置、すなわちシャッター枠３の持ち出し量に略対応する位置に配置している。これにより図１に矢印で示すようにシャッター２ｘをその下端に設けた操作部２２を介して出し入れ操作すると、図６に想像線で示すようにその側縁２ｘａが各々対応するシャッター枠３のレール溝３４ｘに厚み方向に係合して、当該シャッター２ｘをシャッター枠３に沿ってガイドすることが可能となる。このようにシャッター枠３を持ち出しているのは、本実施形態では特にカルテ等の比較的奥行きのある物品を収納することを想定しているためである。但し、このような使用目的が一例に過ぎないのは言うまでもない。
【００３２】
なお、シャッター枠３の中空部とシャッターユニット２の側枠前端２１との間には、各々の中空部に差し込まれる突起を上下に備えた位置決め部材（図示省略）が介在されている。また、図４においてベース部材３１の前壁３１ｃの先端及びアタッチメント材３２の後壁３２ａの先端には、ねじｖ１、ｖ２と干渉する逃げとなる切欠が必要に応じて設けられる。さらに、図２に示すように、前記下框部材４１の挿通孔ｈ４２には同色系統のキャップｃを装着するようにしている。
【００３３】
以上のようにして、本実施形態の家具は、家具本体１の側枠１１の見付け面１１ａにベース部材３１を、該ベース部材３１に設けた添接片３１ｄを家具本体１の側枠１１の内面１１ｂに添接させた状態で取り付け、このベース部材３１にアタッチメント材３２を取り付けることにより、これらベース部材３１及びアタッチメント材３２により構成されるシャッター枠３を前記添接片３１ｄを介して家具本体１の側枠１１に対し幅方向に位置決め状態にするものである。そして、このシャッター枠３の前端側に設けたレール部３４にシャッター２ｘの各々対応する側縁２ｘａを厚み方向に係合させ、このレール部３４に沿ってシャッター２ｘをガイドし得るようにしている。
【００３４】
このように構成すると、先にベース部材３１を取り付け、しかる後にアタッチメント材３２を取り付ければ、これらが組み合わさって強度のあるシャッター枠３が構成されるため、家具本体１の側枠１１に当該シャッター枠３を有効に配置することができる。しかも、ベース部材３１に、家具本体１の側枠１１の内面１１ｂに添接する添接片３１ｄを設け、この添接片３１ｄにより家具本体１の側枠１１に対するシャッター枠３の幅方向の位置決めをなすようにしているので、家具本体１の側枠１１に対するシャッター枠３の的確な取り付け状態を実現して、シャッター２ｘの円滑な開閉動作を確保することができる。特に、家具本体１の側枠１１が一般に幅狭であることに鑑みれば、見付け面１１ａのみにてシャッター枠３の強固な固定は難しいが、添接片３１ｄによる補助によってシャッター枠３のぐらつきを効果的に防止し得るものとなる。さらに、添接片３１ｄを側枠１１の内面１１ｂに位置づけているので、隣接位置に家具や壁が密接に存在する場合にも添接片３１ｄが原因でシャッター枠３の取り付けが困難になるということはなく、単体で使用する際にも家具の外観を毀損する事態を有効に回避することができる。
【００３５】
この場合、シャッター枠３の外面を家具本体１の側枠１１の外面に対して略面一となる位置に位置づけているので、上記の構成と相まって、家具本体１が複数密接に隣接配置される場合、或いは家具本体１の側枠１１の外面が壁に当接している場合等にも、家具本体１を移動させずにそのままの状態でシャッター２ｘを後付することができ、外面を揃えて外観を良好な状態に維持することが可能となる。
【００３６】
また、ベース部材３１の側壁３１ｂから取付片３３を介して内壁３３ａを持出し、家具本体１の側枠１１の見付け面１１ａに添接される当該ベース部材３１の後壁３１ａと前記内壁３３ａとの間に隙間δを形成して、この隙間δにアタッチメント材３２の後壁３２ａを前後方向に密接に差し込むようにしているので、ベース部材３１は後壁３１ａのみならず側壁３１ｂをも内壁３３ａを介して家具本体１の側枠１１の見付け面１１ａに支持されることになり、また、アタッチメント材３２の後壁３２ａもベース部材３１の内壁３３ａと後壁３１ａとの間に密接に挿入されて側枠１１の見付け面１１ａに間接的に添接支持された状態になるため、見付け面１１ａが比較的幅狭である場合にも、全体としてシャッター枠３の基端付近の当該見付け面１１ａに対する取付強度を十分に確保することができる。
【００３７】
特に、見付け面１１ａに対してベース部材３１を前方からねじｖ１を用いて取り付け、そのねじｖ１を隠すように内側方からアタッチメント材３２を突き合わせて取り付けるようにしており、取付状態で少なくともねじｖ１はシャッター枠３の中に位置して正面から視認されない状態となるため、たとえねじｖ１を多用して後付によりシャッター枠３を取り付けても、家具の外観を毀損することを有効に防止することができる。さらに、ベース部材３１に対してアタッチメント材３２を内側方から突き合わせるようにしているので、ベース部材３１の前方にアタッチメント材３２を継ぎ足すように突き合せる場合に比して、先端に持ち出されるレール部３４の安定度を一層高めることができる。
【００３８】
その際、ねじｖ１を隠蔽してもシャッター枠３の前面に位置するベース部材３１とアタッチメント材３２との継ぎ目ｘが露出したのでは外観の確保が手落ちになるが、本実施形態ではその継ぎ目ｘを、シャッター枠３の前方に位置するレール部３４の背後に隠蔽するようにしているので、ねじｖ１を隠蔽した効果の実効を担保することができる。
【００３９】
以上において、最初から左右のシャッター枠３，３を含む三方枠を組んでおけば、シャッター枠３，３間の強度は当初より確保できるが、既設の家具本体１に対して三方枠を取り付けるのは実際問題として大変である。これに対して、本実施形態は、家具本体１の底板１３の前方に配置される幅木４２と左右のシャッター枠３との間に少なくとも幅方向に緊密に係合する係合部Ｙを設け、この係合部Ｙによりシャッター枠３，３間の離間距離の変化を規制するようにしているので、シャッター枠３及び幅木４２を別々に組んでもレール部３の開き等を幅木４２によって規制することができ、三方枠を用いた場合と略同様の強度を確保することができる。また、アタッチメント材３２と幅木４１の間をビス等で連結する手間も有効に省くことが可能となる。
【００４０】
その係合部Ｙも、シャッター枠３に設けたスリット３ｘと、幅木４２より突設され前記スリット３ｘに少なくとも厚み方向と直交する方向に係合する板状の係合爪４２ｘとから構成して、その係合部Ｙを幅木４２の立面部の背後に隠蔽するようにしているので、構造簡素にして係合部Ｙを構成できる上に、係合爪４２ｘはシャッター枠３，３間の開き方向の力等を厚み方向と直交する方向に受けるものであるので、強度も十分に確保することが可能となる。
【００４１】
さらにまた、上記のように家具本体１の側枠１１の見付け面１１ａに前方からねじｖ１を用いて取り付けられるベース部材３１と、そのねじｖ１を隠すようにベース部材３１に対し内側方から突き合わせて取り付けられるアタッチメント材３２とを備え、これらベース部材３１及びアタッチメント材３２によりシャッター枠３を構成するようにしたレールユニットを用いれば、既設の家具に対して後付でも本発明を容易に適用することが可能となる。
【００４２】
このレールユニットには、左右のシャッター枠３に係合部Ｙを介して少なくとも幅方向に緊密に係合し、その状態でシャッター枠３，３間の離間距離の変化を規制する幅木４２を更に備えることで、取付強度をより有効に高めることが可能となる。
【００４３】
なお、各部の具体的な構成は、上述した実施形態のみに限定されるものではなく、本発明の趣旨を逸脱しない範囲で種々変形が可能である。
【００４４】
例えば、シャッター枠の外面を家具本体の側枠の外面よりも内側に位置づけて配置しても、上記実施形態と同様の効果が奏される。また、上記実施形態では、収納空間Ｓにカルテ等の比較的奥行きのある物品を収納するためにシャッター２ｘの位置を前方に持ち出しているが、奥行きが特に問題にならない場合にはシャッター枠３の突出量を抑えることも勿論可能である。さらに、後付でない場合には、シャッターユニットに家具本体の背板側に引き込むようにした巻取り式でないものを用いることも可能である。さらにまた、本発明は必ずしも家具本体の頂板上にシャッターユニットを配置する態様に限らず、例えば壁の一部に掘り込み空間が形成され、その空間に家具本体が収容されているような場合において、当該空間の前上方に壁面が存在し、この壁面にシャッターユニットを固定することができるならば、上記と同様にして本発明を有効に適用することができる。
【図面の簡単な説明】
【００４５】
【図１】本発明の一実施形態を示す斜視図。
【図２】同分解斜視図。
【図３】シャッター枠の構造を部分的に拡大して示す分解斜視図。
【図４】同平断面図。
【図５】シャッター枠の構造を組立状態で示す図３に対応した斜視図。
【図６】同平断面図。
【図７】幅木の取付構造を部分的に拡大して示す斜視図。
【図８】同平断面図。
【図９】図８におけるＡ−Ａ線断面図。
【図１０】図８におけるＢ−Ｂ線断面図。
【符号の説明】
【００４６】
１…家具本体
２ｘ…シャッター
２ｘａ…側縁
３…シャッター枠
３ｘ…スリット
１１…側枠
１１ａ…前面（見付け面）
３１…ベース部材
３１ｄ…添接片
３２…アタッチメント材
３２ａ…後壁
３３ａ…内壁
３４…レール部
４２…幅木
４２ｘ…係合爪
Ｖ１…止着具（ねじ）
Ｙ…係合部
δ…隙間
【図１】
2008013983.tif 000003
【図２】
2008013983.tif 000004
【図３】
2008013983.tif 000005
【図４】
2008013983.tif 000006
【図５】
2008013983.tif 000007
【図６】
2008013983.tif 000008
【図７】
2008013983.tif 000009
【図８】
2008013983.tif 000010
【図９】
2008013983.tif 000011
【図１０】
2008013983.tif 000012